(57)【要約】【課題】  ＦＭトラップ後の受信信号の周波数特性を改善して画質を高めるようにしたテレビジョンチューナを提供する。【解決手段】  受信信号をそのまま通過させる迂回部１５と、前記受信信号に含まれる所定の信号帯域を減衰させる第１のトラップ部１４と、前記第１のトラップ部と迂回部のいずれかに切り換える第１の切換部１３と、前記第１のトラップ部または迂回部を通過した信号を検波する映像検波部と、所定の信号帯域内の周波数特性を補償するビデオイコライザ部４０と、前記ビデオイコライザ部の動作を切り換える第２の切換部と、前記第１の切換部１４と前記第２の切換部との切り換え動作を制御する選択制御部２１と、を有する構成とした。【選択図】図１
0003114458.tif 000002
【実用新案登録請求の範囲】
【請求項１】
受信信号をそのまま通過させる迂回部と、前記受信信号に含まれる所定の信号帯域を減衰させる第１のトラップ部と、前記受信信号が通過する信号経路を前記第１のトラップ部と前記迂回部のいずれかに切り換える第１の切換部と、前記第１のトラップ部または前記迂回部を通過した信号を検波して所定の信号帯域からなる映像ベースバンド信号を生成する映像検波部と、前記所定の信号帯域内の周波数特性を補償するビデオイコライザ部と、前記ビデオイコライザ部の動作を切り換える第２の切換部と、前記第１の切換部と前記第２の切換部との切り換え動作を制御する選択制御部と、を有することを特徴とするテレビジョンチューナ。
【請求項２】
前記ビデオイコライザ部が、インダクタンス素子とキャパシタ素子とからなる回路と、第１の抵抗と、前記第１の抵抗よりも抵抗値の小さな第２の抵抗とを有しており、前記第２の切換部の切り換え動作により、前記第１の抵抗と第２の抵抗のいずれか一方が前記インダクタンス素子に並列接続されることを特徴とする請求項１記載のテレビジョンチューナ。
【請求項３】
前記選択制御部は、所定のテレビジョンチャネルが選択されたときに、第１の切換部が前記第１のトラップ部を通過する経路を選択し、且つ、第２の切換部が前記第１の抵抗を選択する選択信号を出力することを特徴とする請求項１または２に記載のテレビジョンチューナ。
【請求項４】
前記選択制御部は、所定のテレビジョンチャネル以外のチャネルが選択されたときに、第１の切換え部が前記迂回部を選択し、且つ、第２の切換え部が前記第２の抵抗を選択する選択信号を出力することを特徴とする請求項１ないし３のいずれか一項に記載のテレビジョンチューナ。
【請求項５】
前記第１のトラップ部が、下限を８８ＭＨｚとする所定の周波数帯域内の信号を減衰させるものであることを特徴とする請求項１ないし４のいずれか一項に記載のテレビジョンチューナ。
【請求項６】
前記所定のテレビジョンチャネルの信号帯域が、８２ＭＨｚ以上８８ＭＨｚ以下であることを特徴とする請求項３ないし５のいずれか一項に記載のテレビジョンチューナ。
【請求項７】
前記選択制御部は、チャネル切換え信号に応じて選択信号を生成するものであることを特徴とする請求項１ないし６のいずれか一項に記載のテレビジョンチューナ。
【請求項８】
ＦＭ放送帯の周波数の信号を減衰させるためのＦＭトラップ部と、前記ＦＭトラップ部の後段に接続されるとともに、映像ベースバンド信号を出力する映像検波部と、前記映像検波部に接続されたビデオイコライザ部とを備え、
前記ＦＭトラップ部は、所定のテレビジョンチャネル受信時にオンとなり、前記所定のテレビジョンチャネル受信時以外にオフとなるように構成され、前記ビデオイコライザ部は、インダクタンス素子とキャパシタ素子とによる回路及び前記インダクタンス素子の両端間に接続された２つの抵抗で構成されており、前記所定のテレビジョンチャネル受信時に前記一方の抵抗が選択され、前記所定のテレビジョンチャネル受信時以外の時には前記一方の抵抗よりも大きな抵抗値からなる他方の抵抗が選択されるようにしたことを特徴とするテレビジョンチューナ。
【請求項９】
第１の出力端と、第２の出力端と、前記第１の出力端との間又は前記第２の出力端との間で択一的に導通する入力端とを持つ切換回路の前記入力端を、前記インダクタンス素子の前記映像検波回路側の一端に接続し、
前記第１の出力端に第１の抵抗の一端を接続し、前記第２の出力端に第２の抵抗の一端を接続するとともに、前記第１及び第２の抵抗の他端同士を接続し、その接続点を前記インダクタンス素子の他端に接続し、前記第１の抵抗の抵抗値を前記第２の抵抗の抵抗値より大きく設定し、前記ＦＭトラップ回路をオンにすると同時に、前記切換回路を前記第１の抵抗側に切り換えるようにしたことを特徴とする請求項８記載のテレビジョンチューナ。
【考案の詳細な説明】
【技術分野】
【０００１】
本考案は、テレビジョンチューナに係わり、特にＦＭトラップ後の受信信号の周波数特性を改善できるようにしたテレビジョンチューナに関する。
【背景技術】
【０００２】
米国ＴＶ放送においては、第６チャネル（以下、適宜「ＵＳ６ｃｈ」という）に割り当てられている周波数帯域が８２乃至８８ＭHzであり、その音声搬送波周波数が８７．７５ＭHzに配置されている。一方、米国ＦＭラジオ放送においては、割り当てられている周波数帯域が８８乃至１０８ＭHzであって、ＴＶ放送の第６チャネルの周波数帯域に近接した周波数の放送が存在している。すなわち、８８ＭHzは米国ＴＶ放送の第６チャネル（ＵＳ６ｃｈ）の上限と米国ＦＭラジオ放送の下限とを仕切る周波数（以下、「境界周波数」という）となっている。
【０００３】
このため、このＦＭラジオ放送の受信電界強度が比較的に大きいと、ＵＳ６ｃｈのＴＶ放送を受信した時に、再生した音声中に雑音が生じ、映像中にビートノイズが現れることがある。
【０００４】
そこで、米国ＴＶ放送を受信する既知のテレビジョンチューナにおいては、受信信号入力端に帯域９１〜９３ＭＨｚ程度のＦＭトラップ回路を接続し、このトラップ回路によって米国ＦＭラジオ放送の下限側である前記境界周波数近傍の受信信号を減衰させるようにしている。
【考案の開示】
【考案が解決しようとする課題】
【０００５】
このようなテレビジョンチューナでは、ＵＳ６ｃｈのＴＶ放送を選択して受信しようとするときに、ＦＭトラップ回路が機能してＦＭラジオ放送の帯域のみを減衰させることが理想的である。
【０００６】
しかし、ＵＳ６ｃｈの帯域に何ら影響を与えず、前記ＦＭラジオ放送だけを減衰させることは難しく、従来のテレビジョンチューナにおいても前記ＵＳ６ｃｈの帯域８２〜８８ＭHzのうち、特に前記境界周波数（８８ＭHz）に近い高域側のビデオ信号（特に、クロマ信号成分）が前記ＦＭトラップ回路の影響を受けて減衰させられ、テレビの画質が劣化するという問題が発生している。
【０００７】
すなわち、前記ＦＭトラップ回路は前記境界周波数（米国ＦＭラジオ放送である８８ＭHz）を下限とする所定の周波数帯域（ＦＭラジオ放送の帯域）内の信号だけを減衰させることが理想的であるが、実際には前記境界周波数以下のＵＳ６ｃｈの帯域まで侵食し一緒に減衰させてしまっており、ビデオ信号の周波数特性（ｆ特）の一部が犠牲になっているという問題がある。
【０００８】
本考案は上記従来の課題を解決するためのものであり、ＦＭトラップ後の受信信号（ビデオ信号）の周波数特性を改善し、画質を高めるようにしたテレビジョンチューナを提供することを目的としている。
【課題を解決するための手段】
【０００９】
本考案は、受信信号をそのまま通過させる迂回部と、前記受信信号に含まれる所定の信号帯域を減衰させる第１のトラップ部と、前記受信信号が通過する信号経路を前記第１のトラップ部と前記迂回部のいずれかに切り換える第１の切換部と、前記第１のトラップ部または前記迂回部を通過した信号を検波して所定の信号帯域からなる映像ベースバンド信号を生成する映像検波部と、前記所定の信号帯域内の周波数特性を補償するビデオイコライザ部と、前記ビデオイコライザ部の動作を切り換える第２の切換部と、前記第１の切換部と前記第２の切換部との切り換え動作を制御する選択制御部と、を有することを特徴とするものである。
【００１０】
本考案では、所定のテレビジョンチャネル（例えばＵＳ６ｃｈ）を受信するときには、第１のトラップ部での減衰分をビデオイコライザ部が補償することができ、また前記所定のテレビジョンチャネル以外のチャネルを受信するときには、前記迂回部を通過させることで減衰の発生を防止することができる。このため、前記所定のテレビジョンチャネルが有する帯域（バンド幅）中に含まれる全ての信号を確実に受信することができるため、特に画質の劣化を抑えることができる。
【００１１】
上記において、前記ビデオイコライザ部が、インダクタンス素子とキャパシタ素子とからなる回路と、第１の抵抗と、前記第１の抵抗よりも抵抗値の小さな第２の抵抗とを有しており、前記第２の切換部の切り換え動作により、前記第１の抵抗と第２の抵抗のいずれか一方が前記インダクタンス素子に並列接続されることが好ましい。
【００１２】
上記手段ではインダクタンス素子に並列接続される素子として、第１の抵抗が選択されたときは前記ビデオイコライザ部の周波数特性を高域の持ち上がった特性とし、、第２の抵抗が選択されたときは前記ビデオイコライザ部の周波数特性を第１の抵抗が選択されたときに比べて高域の持ち上がりの小さな周波数特性とすることができる。
【００１３】
上記において、前記選択制御部は、所定のテレビジョンチャネルが選択されたときに、第１の切換部が前記第１のトラップ部を通過する経路を選択し、且つ、第２の切換部が前記第１の抵抗を選択するための選択信号を出力することを特徴とする。
【００１４】
あるいは前記選択制御部は、所定のテレビジョンチャネル以外のチャネルが選択されたときに、第１の切換部が前記迂回部を選択し、且つ、第２の切換部が前記第２の抵抗を選択するための選択信号を出力することを特徴とする。
【００１５】
上記手段では、ＵＳ６ｃｈが選択されたときと、それ以外のチャネルが選択されたときとで、適正な回路を構成することができる。
【００１６】
例えば、前記第１のトラップ部が、下限を８８ＭＨｚとする所定の周波数帯域内の信号を減衰させるものであることが好ましく、また前記所定のテレビジョンチャネルの信号帯域が、８２ＭＨｚ以上８８ＭＨｚ以下であることが好ましい。
【００１７】
上記手段では、米国におけるＴＶ放送の第６チャネルを確実に受信することができる。
前記選択制御部は、チャネル切換え信号に応じて選択信号を生成するものであることを特徴とするものである。
【００１８】
上記手段では、第１の切換部と第２の切換部の切り換え動作を同期させることができる。このため、所定のテレビジョンチャネルを選択するときと、前記所定のテレビジョンチャネル以外のチャネルを選択するときとで、適切な回路を正しく選択することができる。
【００１９】
また本考案は、ＦＭ放送帯の周波数の信号を減衰させるためのＦＭトラップ部と、前記ＦＭトラップ部の後段に接続されるとともに、映像ベースバンド信号を出力する映像検波部と、前記映像検波部に接続されたビデオイコライザ部とを備え、
前記ＦＭトラップ部は、所定のテレビジョンチャネル受信時にオンとなり、前記所定のテレビジョンチャネル受信時以外にオフとなるように構成され、前記ビデオイコライザ部は、インダクタンス素子とキャパシタ素子とによる回路及び前記インダクタンス素子に接続された２つの抵抗で構成されており、前記所定のテレビジョンチャネル受信時に前記一方の抵抗が選択され、前記所定のテレビジョンチャネル受信時以外の時には前記一方の抵抗の抵抗値よりも小さな抵抗値からなる他方の抵抗が選択されるようにしたことを特徴とするものである。
【００２０】
上記においては、第１の出力端と、第２の出力端と、前記第１の出力端との間又は前記第２の出力端との間で択一的に導通する入力端とを持つ切換回路の前記入力端を、前記インダクタンス素子の前記映像検波回路側の一端に接続し、
前記第１の出力端に第１の抵抗の一端を接続し、前記第２の出力端に第２の抵抗の一端を接続するとともに、前記第１及び第２の抵抗の他端同士を接続し、その接続点を前記インダクタンス素子の他端に接続し、前記第１の抵抗の抵抗値を前記第２の抵抗の抵抗値より大きく設定し、前記ＦＭトラップ回路をオンにすると同時に、前記切換回路を前記第１の抵抗側に切り換えるようにしたことが好ましい。
上記手段では、ビデオイコライザ部の切り換え動作を確実に行うことができる。
【考案の効果】
【００２１】
本考案のテレビジョンチューナでは、例えば米国ＦＭラジオ放送の下限側の帯域に設けられた第６チャネルのような所定のテレビジョンチャネルに対する周波数特性を平坦化することができる。このため、このような所定のテレビジョンチャネルを構成するバンド幅内の低域から高域の全範囲に含まれる信号を確実に受信することができる。
【考案を実施するための最良の形態】
【００２２】
図１は本考案のテレビジョンチューナの全体の構成を示すブロック図、図２はＩＦ部の構成を示すブロック図、図３は本考案の主要部としてのビデオイコライザ部を示す回路構成図である。
【００２３】
本考案では、所定のテレビジョンチャネル（例えば米国におけるＴＶ放送の第６チャネル（ＵＳ６ｃｈ：８２ＭＨｚ〜８８ＭＨｚ））と、これに上側側に設けられた放送帯（例えば、ＦＭラジオ放送帯（８８ＭＨｚ〜１０８ＭＨｚ））などの関係のように２つの周波数帯域が互いに近接し合う状態であって、一方の放送帯の下限側で且つ境目周波数（８８ＭＨｚ）近傍にトラップ（ＦＭトラップ）をかけて減衰させた状態で、他方の信号帯（所定のテレビジョンチャネル）から所望の受信信号を取り出す場合であり、前記トラップの影響が前記他方の信号帯から検出される受信信号に及ばないようにしたものであり、特に前記他方の信号帯の前記境目周波数に近い上限側（高域側）の周波数特性をフラットにすることができるようにしたものである。
【００２４】
図１において、本考案のテレビジョンチューナは、信号入力部１１と、バンドパスフィルタ部（ＢＰＦ）１２と、第１の切換部１３と、ＦＭトラップ部（第１のトラップ）１４と、迂回部１５と、単同調部１６と、高周波増幅部（ＲＦＡＭＰ）１７と、複同調部１８と、混合部（ＭＩＸ）１９と、局部発振部２０と、選局制御部２１と、ＩＦ部３０、ビデオイコライザ部４０、バッファ部２５および信号出力部２６とを備えている。
【００２５】
前記ＩＦ部３０は、図２に示すようにＳＡＷフィルタ３１、中間周波数増幅部３２、映像検波部３３、第２のトラップ部３４および映像増幅部３５を備えている。
【００２６】
また前記ビデオイコライザ部４０は、図３に示すように第２の切換部４１と、抵抗値Ｒ１からなる第１の抵抗４２と、同じく抵抗値Ｒ２からなる第２の抵抗４３と、インダクタンスＬからなるインダクタンス素子４４および容量Ｃからなるキャパシタ素子４５とを有して構成されている。前記ビデオイコライザ部４０の基本構成はインダクタンス素子４４とキャパシタ素子４５とからなる回路であり、インダクタンス素子４４の両端には第１の抵抗４２と第２の抵抗４３のいずれかが選択的に並列接続されるようになっている。
【００２７】
図１に示す前記選局制御部２１は、図示しないリモコン装置などから与えられるチャネル切換え信号を受信すると、これに応じた選局電圧ｅを前記局部発振部２０に与える。前記選局電圧ｅを受信した局部発振部２０は、内部に設けられたＰＬＬ回路（図示せず）などを用いて局部発振信号を選局されたチャネルに応じた所定の周波数（局部発振周波数）に合わせ込むように機能する。そして、このように合わせ込まれた局部発振周波数信号ｆ１は前記混合部１９に与えられる。
【００２８】
また前記選局制御部２１は、例えばＵＳ６ｃｈが選択されたときには０ｖからなる選択信号Ｓ１を生成し、ＵＳ６ｃｈ以外のチャネルが選択されたときには５ｖからなる選択信号Ｓ１を生成し、それぞれ前記第１の切換部１３および第２の切換部４１などに出力するように機能する。
【００２９】
図３に示すように、前記ビデオイコライザ部４０を構成する前記第１の抵抗４２と第２の抵抗４３は、前記メインとなる信号経路に対して接続可能な状態で設けられている。すなわち、前記ＩＦ部３０の出力端子と前記第１の抵抗４２および第２の抵抗４３の各入力端子との間には第２の切換部４１が設けられており、この第２の切換部４１は前記選局制御部２１からの前記選択信号Ｓ１に応じて第１の抵抗４２と第２の抵抗４３のいずれかを選択して自在に切り換えることが可能とされている。
【００３０】
前記インダクタンス素子４４は、前記第１の抵抗４２又は第２の抵抗４３に対して並列接続されている。そして、前記第１の抵抗４２、第２の抵抗４３およびインダクタンス素子４４の出力側の端子は、ともに前記バッファ部２５に入力され、且つ前記キャパシタ素子４５を介して接地されている。
【００３１】
前記ビデオイコライザ部４０は、前記インダクタンス素子４４、前記キャパシタ素子４５及び前記第１の抵抗４２叉は前記第２の抵抗４３により、高域特に色副搬送波周波数（３．５８ＭＨｚ）近辺におけるピーキング回路を構成しており、前記第１の抵抗４２叉は前記第２の抵抗４３の抵抗値によりピーキング量を調整している。即ち、この抵抗値が大きいときピーキング量も大きくなるとともに高域特に色副搬送波周波数（３．５８ＭＨｚ）近辺の持ち上がった周波数特性となり、逆にこの抵抗値が小さいとき、ピーキング量も小さくなり、高域の持ち上がりの小さな周波数特性となる。
【００３２】
前記第１の抵抗４２と前記第２の抵抗４３との関係は、第１の抵抗４２の抵抗値Ｒ１が第２の抵抗４３の抵抗値Ｒ２に比較して大きな抵抗値となるように設定されている（Ｒ１＞Ｒ２）。なお、後述するように、前記ビデオイコライザ部４０の構成は上記図３に示す構成に限定されるものではない。
【００３３】
以下には、本考案のテレビジョンチューナの動作について説明する。
図１に示すように、信号入力部１１には、外部アンテナが捕えられたテレビ放送やＦＭラジオ放送などからなる受信信号ｒｆが与えられる。前記信号入力部１１に与えられた受信信号ｒｆは前記バンドパスフィルタ１２に入力される。このバンドパスフィルタ１２は、前記テレビ放送やＦＭラジオ放送の放送帯域外に存在する不要な信号（低周波帯域および高周波帯域の信号）をおおよその範囲で除去し、本来必要とする放送帯に存在する受信信号（テレビ放送やＦＭラジオ放送）ｒｆを通過させるように機能する。
【００３４】
前記バンドパスフィルタ１２を通過した受信信号ｒｆは、第１の切換部１３において選択され、一方はＦＭトラップ部１４を介して単同調部１６に入力され、他方は迂回部１５を介して直接的に前記単同調部１６に入力されるようになっている。
【００３５】
前記第１の切換部１３は、選局制御部２１から与えられる前記０ｖ又は５ｖの選択信号Ｓ１に応じて切り換えられる。例えば、０ｖの選択信号（ＵＳ６ｃｈ受信時）Ｓ１が与えられると、第１の切換部１３の端子ＳＷ０と端子ＳＷ２の間が開放され、端子ＳＷ０と端子ＳＷ１とが接続され（図１に実線で示す第１の導通状態）、５ｖの選択信号（ＵＳ６ｃｈ以外のチャネル受信時）Ｓ１が与えられると端子ＳＷ０と端子ＳＷ１の間が開放され、端子ＳＷ０と端子ＳＷ２とが接続される（図１に点線で示す第２の導通状態）。なお、このような第１の切換部１３としては、例えば特開平１１−２０５６９９号公報などに記載されているスイッチングダイオードなどを用いることができる。
【００３６】
前記第１の導通状態が選択（ＵＳ６ｃｈ受信時）されると、迂回部１５がメインの信号経路から切り離されるため、受信信号ｒｆはＦＭトラップ部１４を介して単同調部１６に入力される。一方、前記第２の導通状態が選択（ＵＳ６ｃｈ以外のチャネル受信時）されると、前記受信信号ｒｆはＦＭトラップ部１４を通らずに、前記迂回部１５を通じて直接的に前記単同調部１６に入力される。
【００３７】
前記ＦＭトラップ部１４は、ＵＳ６ｃｈの帯域に近接したＦＭラジオ放送周波数を含む所定の周波数帯域内の信号だけを減衰させる減衰器として構成されている。このため、前記第１の導通状態が選択（ＵＳ６ｃｈ受信時）されたときには前記ＦＭラジオ放送周波数成分を減衰させた受信信号ｒｆが単同調部１６に入力され、また前記第２の導通状態が選択（ＵＳ６ｃｈ以外の受信時）されたときにはＦＭラジオ放送周波数成分を含む受信信号ｒｆが単同調部１６に入力される。
【００３８】
図４はビデオイコライザ部が接続されていないと仮定した場合におけるＩＦ部の出力端でのベースバンド周波数特性を示す概念図である。
【００３９】
前記ＦＭトラップ部１４の周波数特性がＵＳ６ｃｈとＦＭラジオ放送との境目となる境界周波数（８８ＭＨｚ）の手前から所定の勾配（例えば−２０ｄB／ｄｅｃ）で減衰させるようになっているため、前記ＦＭトラップ部１４の影響により、図４に示すように、前記ＩＦ部の出力端で見たときのベースバンド周波数特性はベースバンド信号の高域部即ち色副搬送波周波数（３．５８ＭＨｚ）近辺が減衰させられた状態にある（ハッチング部分の信号）。
【００４０】
前記単同調部１６では所望チャネルの受信信号を選択する。次いでこの受信信号は高周波増幅部１７において増幅され、その後段に接続された複同調部１８において所望チャネルの受信信号がさらに選択され、選択された受信信号は混合部１９において局部発振部２０から出力される局部発振周波数信号ｆ１と混合されて中間周波信号ｉｆに変換され、この中間周波信号ｉｆがＩＦ部３０に出力される。なお、前記中間周波信号ｉｆには、映像中間周波数信号、色副搬送波数信号および音声中間周波数信号などが含まれている。
【００４１】
図２に示すように、前記ＩＦ部３０に入力された中間周波信号ｉｆは、ＳＡＷフィルタ３１を介して中間周波数増幅部３２に入力される。ＳＡＷフィルタ３１は中間周波数帯における前記映像中間周波数信号と色副搬送波数信号と音声中間周波信号ｉｆを所定のレベルにするような伝送特性を有している。中間周波数増幅部３２で所定レベルに増幅された中間周波信号ｉｆは、映像検波部３３によって検波されてビデオ信号（「映像ベースバンド信号」ともいう。）ｖに変換される。
【００４２】
前記ビデオ信号ｖは第２のトラップ部３４を介して映像増幅部３５に入力される。前記映像増幅部３５によって増幅されたビデオ信号ｖはビデオイコライザ部４０に入力される。なお、前記第２のトラップ部３４は、前記ビデオ信号ｖに混入している音声信号や所望のチャネルに隣接する他のチャネルの信号レベルを抑えることにより、これらの信号が前記所望のチャネルに及ぼす妨害縞などの悪影響を抑えるように機能する。
【００４３】
図５はＵＳ６ｃｈが選択された時のビデオイコライザ部が有するベースバンド周波数特性を示す概念図である。
【００４４】
ＵＳ６ｃｈが選択されたときには、前記選局制御部２１から出力される選択信号Ｓ１により前記第２の切換部４１の端子ＳＷ０と端子ＳＷ１との間が接続させられるため、前記インダクタンス素子４４の両端に大きな抵抗値Ｒ１からなる第１の抵抗４２が並列接続される。
【００４５】
このとき、前記ビデオイコライザ部４０のベースバンド周波数特性は図５に示すものとなる。前記ビデオイコライザ部が接続されていないと仮定した場合におけるＩＦ部の出力端での周波数特性が、前記ＦＭトラップ部１４の影響によってベースバンド信号の高域部即ち副搬送波周波数（３．５８ＭＨｚ）近辺が減衰するため（図４参照）、前記ビデオイコライザ部の周波数特性はそれを補償するように、対応する部分のレベルを高めることにより高域部分即ち副搬送波周波数（３．５８ＭＨｚ）近辺が盛り上がるような特性を有する。
【００４６】
即ち、すなわち前記ビデオイコライザ部の周波数特性は前記インダクタンス素子４４、前記キャパシタ素子４５及び前記第１の抵抗４２によるピーキング回路によって高域の持ち上がった周波数特性となる。
【００４７】
なお、前記インダクタンス素子４４のインダクタンスＬと前記キャパシタ素子４５の容量Ｃを適切なものとすることにより、前記ビデオイコライザ部４０のピーキング周波数を図５に示すような所望の周波数に設定することが可能である。
【００４８】
図６は本考案のテレビジョンチューナ全体の周波数特性を示す概念図である。
図６に示すように、本考案のテレビジョンチューナでは、前記ＦＭトラップ部１４で減衰した受信信号の一部を前記ビデオイコライザ部４０が補償することが可能となっている。このため、前記ＦＭトラップ部１４とビデオイコライザ部４０を含めたビデオ信号ｖの全体の周波数特性を基本的に図６に示すようなフラットな周波数特性とすることができる。
【００４９】
よって、前記境界周波数の下限側に設けられたＵＳ６ｃｈの信号帯域に与える影響をこれまで以上に少なくすることができるとともに、前記境界周波数の上限側に位置する前記ＦＭラジオ放送をより効果的に減衰させることができる。このため、前記ＵＳ６ｃｈの受信したときの画質を向上させることが可能となる。
【００５０】
一方、ＵＳ６ｃｈ以外のチャネルが選択されたときには、前記選局制御部２１からの選択信号Ｓ１により、図３にて破線で示すように前記第２の切換部４１の端子ＳＷ０と端子ＳＷ２との間が接続させられる。これにより、前記インダクタンス素子４４の両端には第1の抵抗４２の抵抗値Ｒ1より小さな抵抗値Ｒ２からなる第２の抵抗４３が並列接続される。
【００５１】
前記第２の抵抗４３の抵抗値Ｒ２は、前記第１の抵抗４２の抵抗値Ｒ１に比較して小さい（Ｒ１＞Ｒ２）。同時にこのときの前記ビデオイコライザ部における前記インダクタンス素子４４、前記キャパシタ素子４５及び前記第２の抵抗４３によるピーキング回路のピーキング量は、前記第１の抵抗４２が接続された時に比べて小さくなる。
【００５２】
すなわち、抵抗値の小さな前記第２の抵抗４３がインダクタンス素子４４の両端に接続されると、ＩＦ部３０から出力されたビデオ信号ｖは、前記ビデオイコライザ部のピーキング回路によって、その周波数特性における高域部即ち副搬送波周波数（３．５８ＭＨｚ）近辺のレベルが幾分か持ち上げられ、結果として前記ビデオイコライザ部の出力端においては図６のようなほぼ平坦な特性となって出力される。
【００５３】
上記においては、ＵＳ６ｃｈの選択動作に連動して、前記第２の切換部４１を切り換えるようにし、境界周波数の下限側帯域（ＵＳ６ｃｈ）の特に高域側の減衰の落ち込みを補償するようにしたことから、前記下限側帯域のチャネル（ＵＳ６ｃｈ）の画質を改善することが可能となる。
【００５４】
上記実施の形態においては、前記第２の切換部４１によって前記第1の抵抗または第２の抵抗を切り換えられる構成を示したが、本考案はこれに限られるものではない。例えば、前記第1の抵抗または第２の抵抗の代わりに、可変抵抗器を設け、所定のテレビチャネルを受信するときとそれ以外のチャンネルを受信する時とで抵抗値を変えるようにした構成であっても良い。
【００５５】
また上記実施の形態においては第１の切換部１３が、バンドパスフィルタ１２の後段で且つ前記ＦＭトラップ部１４と迂回部１５の前段に設けられた構成を示したが、本考案はこれに限られるものではなく、前記ＦＭトラップ部１４と迂回部１５の後段で且つ前記単同調部１６の前段に設けられる構成であってもよい。
【００５６】
さらに上記実施の形態においては所定のテレビチャネルおよび放送帯の実施例として、米国第６チャネルとＦＭラジオ放送の場合について説明したが、本考案はこれに限られるものではなく他の放送帯を対象とするものであってもよい。
【図面の簡単な説明】
【００５７】
【図１】本考案のテレビジョンチューナの全体の構成を示すブロック図、
【図２】ＩＦ部の構成を示すブロック図、
【図３】本考案の主要部としてのビデオイコライザ部を示す回路構成図、
【図４】ビデオイコライザ部が接続されていないと仮定した場合におけるＩＦ部の出力端でのベースバンド周波数特性を示す概念図、
【図５】ビデオイコライザ部が有するベースバンド周波数特性を示す概念図、
【図６】本考案のテレビジョンチューナ全体の周波数特性を示す概念図、
【符号の説明】
【００５８】
１１  信号入力部
１２  バンドパスフィルタ部（ＢＰＦ）
１３  第１の切換部
１４  ＦＭトラップ部（第１のトラップ）
１５  迂回部
１６  単同調部
１７  高周波増幅部（ＲＦＡＭＰ）
１８  複同調部
１９  混合部（ＭＩＸ）
２０  局部発振部
２１  選局制御部
２５  バッファ部
２６  信号出力部
３０  ＩＦ部
３１  ＳＡＷフィルタ
３２  中間周波数増幅部
３３  映像検波部
３４  第２のトラップ部
３５  映像増幅部
４０  ビデオイコライザ部
４１  第２の切換部
４２  第１の抵抗
４３  第２の抵抗
４４  インダクタンス素子
４５  キャパシタ素子
Ｓ１  選択信号
ｒｆ  受信信号
ｖ  ビデオ信号
【図１】
0003114458.tif 000003
【図２】
0003114458.tif 000004
【図３】
0003114458.tif 000005
【図４】
0003114458.tif 000006
【図５】
0003114458.tif 000007
【図６】
0003114458.tif 000008